(57)【要約】      （修正有）【課題】インパクト時の手ごたえ、反発、反響、その波紋を、パターヘッドの上表面に図案化し、イメージの再現に役立ちフィーリングを安定して保つ事が可能なパターヘッドの提供。【解決手段】フェース１の打点の上縁、またはその近傍に中心点マーク４を設け、そこを中心として同心円状の複数本の波紋線５を等間隔で半円状に描き、打撃の都度反響の伝達イメージが生まれ、それを感じ取ることができるようにした。【選択図】図１
2016152842.tif 000002
【特許請求の範囲】
【請求項１】
パター上表面に、パターフェースの上部点を中心とする同心円を半円状に、等間隔で３波紋以上描いたことを特徴とするゴルフパター。
【請求項２】
パター上表面に、楕円形の短軸をパターフェース沿い、長軸をストローク方向としたフェース面に対称の楕円形を、フェース面から楕円形の一方の中心までの距離をボールの直径長さ、半径長さ、その間の長さ、またはその延長上の長さとして、半楕円状に３波紋以上描いたことを特徴とするゴルフパター。
【発明の詳細な説明】
【技術分野】
【０００１】
本発明は、ゴルフのパッティングおいて、インパクト時に手ごたえ、その反響をパターヘッドの上表面にイメージ化したゴルフパターに関する。
【背景技術】
【０００２】
ゴルフのパッティングにおいて、ボールとのインパクト時に反発を受けるが、その反発の感じ、フィーリングをイメージすることは毎回のストロークに安定をもたらす。ただフィーリングも、感性によるものでそれが上達につながるには日頃の積み重ねた練習が大切である。そこで、フィーリングの記憶を忘れないようにパターヘッドの上面に図柄を施すことが考えられる。ところが、多くの図柄は、テークバック時のストローク、パッティングラインに関するものである。特許電子図書館でキ−ワード「ゴルフパター」、「波紋」で検索すると０件、「ゴルフパター」、「同心円」で検索の結果、７件であった。（非特許文献１）では、ゴルフボールの中心からの同心円を拡大してフェース部分に描いた欠円で、これによりアドレス時のフェースの方向を正確に合わせやすいとしている。本願発明は、ボールを打った後のインパクト時の手ごたえ、反響をヘッド上でいつも再現することができるもので、ボールを打つ前の非特許文献１の構えに関するものとは明らかに異なるといえる。
【先行技術文献】
【非特許文献】
【０００３】
【非特許文献１】実用新案登録第３１５１７８８号
【発明の概要】
【発明が解決しようとする課題】
【０００４】
ボールの反発を受け止める感じ、フィーリングを保つことが大事である。物体との衝突には必ず反発が生じる。この反発、反力をカップまでの距離ごとにフィーリングできれば、飛躍的に上達する。ところがフィーリングは、日が経過するに従い忘れがちになることにパッティングの難しさがある。そこで、パターヘッドの上面にフィーリングを図化し常にイメージしやすくすれば日々のゴルフも安定する。反発をイメージするのは太鼓を打った時の音波の拡張、伝達に似ている。水面に投じた石の波紋も同じ感じといえる。これらは同じ間隔の粗密波であるが、後者の水面の波紋は目に見えることから、音波よりイメージしやすいといえる。また、個人個人でインパクト時にヘッドを加速する度合いが異なり、ヘッドスピードが速いほど粗密波の波紋が後方に膨らんで彗星のような尾を引いた感じとなる。当然に、パッティングではパターの前方にボールが具体的にセットされた状態となる。フィーリング、反響、反力をイメージするときには。このボールの反力、打点の反力を手ごたえでイメージする。そこで、ボールのフェースとの接点か、ボールの中心か、ボールの先端部かを意識することでも反発、ヘッドスピード、その加速イメージが増してくる。あるいはフェース面からボールを離して構えるゴルファーもいる。これらフィーリング、反響、反力を図化することができれば、すなわちパターヘッドの上面に波紋として描くことで、インパクト時の反響、加速するフィーリングをイメージすることができ、安定したストロークを得ることができ課題が解決できるといえる。
【課題を解決するための手段】
【０００５】
このような課題を解決するために、本発明のゴルフパターは、パター上表面に、パターフェースの上部点を中心とする同心円を半円状に、等間隔で３波紋以上描いたことを特徴とする。パターフェースの上部点とは、パターフェースの打点のパターヘッドの上面部の点で、フェースの上縁点、またはその近傍点をいい、印を設ける場合もある。
【０００６】
また、本発明のゴルフパターは、パター上表面に、楕円形の短軸をパターフェース沿い、長軸をストローク方向としたフェース面に対称の楕円形を、フェース面から楕円形の一方の中心までの距離をボールの直径長さ、半径長さ、その間の長さ、またはその延長上の長さとして、半楕円状に３波紋以上描いたことを特徴とする。
【発明の効果】
【０００７】
パターのフィーリングは、時々刻々と変化する。プロといえど、調子が長続きしない。パットを制する者が優勝するといっても過言でない。パット・イズ・マネーと言われるゆえんである。極端に言えば、トーナメントの時期、ラウンド日、順位、パッティングの距離などで変わる。すなわち、脳のフィーリングはあくまで感性であり記憶しにくい、あるいは思い出しにくいといえる。手先のフィーリングは当然寒暖の影響がある。そのフィーリングを図化することで、記憶の曖昧さ、再現の困難さを解消することができる。本発明では、インパクト時の反発、反響を図化したことで、毎回のインパクト時に一定の反発、反響をイメージすることができ、安定したストロークが期待できるといえる。波紋の第３波までは反発、反響のイメージで、それ以上は余波、余韻と言えそうである。
【図面の簡単な説明】
【０００８】
【図１】パターフェースの上部点の中心印から同心円の波紋を半円状に、等間隔に描いたパターヘッドの平面図
【図２】楕円形の短軸をパターフェース沿い、長軸をストローク方向とし、フェースから楕円形の一方の中心までの距離を、前方のボールの中心までの半径長さとした楕円形を半楕円状に描いた波紋のパターヘッドの平面図
【図３】フェースから楕円形の一方の中心までの距離を、前方のボールの先端点までの直径長さとした楕円形を半楕円状に描いた波紋のパターヘッドの平面図
【図４】フェースから楕円形の一方の中心までの距離を、フェース面から離して置いた前方のボール手前までを半径の１／２の長さとした楕円形を半楕円状に描いた波紋のパターヘッドの平面図
【図５】マレットタイプの２段の段違いのパターで、上から同一平面視して連続した同心円を半円状に描いた波紋のパターヘッドの平面図
【発明を実施するための形態】
【０００９】
パターの打点はフェース面のボールとの接点である。しかし、アドレスの上からはフェース面の打点は見えないので、フェースの上縁部、もしくはその近傍に中心点、印を設ける。すなわち、図形として描く中心はフェースの上縁部、もしくはその近傍になる。ここを中心として同心円に波紋が広がる。実際の同心円の波紋は等間隔である。ヘッドを加速するゴルファーはさらに前にポイントを置く。それはボールの中心点とか、ボールの先端点であるがその中間や延長線上でも考えられる。これらの場合、ヘッドスピードが上がるので同心円は彗星のように流れる。すなわち横長の楕円形のようになる。それらの波紋の間のゾーンを色分けしても良い。第１波まで間隔がある場合は、補間として中間波を描くと間抜けしなくなる。パターヘッドの形状は外輪線にあわせても良い。パターヘッドが大きくないピンタイプ、マレットタイプのパターで、上面の幅が狭い場合は、描ける範囲が短くなり円の密度を高くする。２段式となっている場合は、アドレスの上から、上段表面と下段表面で連続した同心円が半円状に見えるように描くと良い。
【実施例１】
【００１０】
パターヘッドの上面が広いタイプのパターで、パターフェースの上部点に点印マークを設け、そこを中心として、半径１ｃｍ、２ｃｍ、３ｃｍ、４ｃｍ、５ｃｍの等間隔でパターヘッドの大きさに応じて同心円を半円状に描いた図１を示す。
【実施例２】
【００１１】
上級者は、インパクト時にヘッドを加速するといわれている。そのイメージは、半円形が彗星のようになる。これは楕円形の形状と一致する。楕円形の短軸をフェース面沿い、長軸ストローク方向とし、パターフェースの前に置いたボール中心までの半径の距離を楕円形の一方の中心とする楕円形を半楕円状に描いた図２を、フェースの前に置いたボールの先端までの直径の距離を楕円形の一方の中心とする楕円形を半楕円状に描いた図３を、フェースとの間隔をあけてボールを置くゴルファーには、ボールの中心までの距離の半径の１／２を楕円形の一方の中心とする楕円形を半楕円状に描いた図４を示す。
【実施例３】
【００１２】
パターヘッドの表面が上下２段となっているマレットタイプのパターでは、上表面の同心円はリブ部を含んだ半円状となる。すなわち、リブ上面と下段のパター表面に、段違いではあるが上から見て同心円を連続した半円状に描くことになる。パターフェースの上部点に点印マークを設ける。図５に、マレットタイプのパター上表面に２段で連続した同心円を半円状に描いた波紋線を示す。
【実施例４】
【００１３】
ヘッドの幅の狭いパターの例では、パターフェースの上部点の点印マークを設け、そこを中心として、ヘッドの幅の範囲内で、すなわち密度の高い同心円を半円状に描く。
【符号の説明】
【００１４】
１  パターヘッド
２  パターヘッドのフェース部
３  パターヘッドのシャフト部
４  パターフェースの上部点の中心点マーク
５  同心円の半円状の波紋線
６  楕円形の半楕円状の波紋線
７  フェース前方のボールの中心までの半径長さとする一方の中心
８  フェース前方のボールの先端点までの直径長さとする一方の中心
９  フェース前方に置いたボールの、半径の１／２の離れとした一方の中心
１０  マレットタイプのパターの２段の連続で描いた同心円の半円状の波紋線
１１  ボール
【図１】
2016152842.tif 000003
【図２】
2016152842.tif 000004
【図３】
2016152842.tif 000005
【図４】
2016152842.tif 000006
【図５】
2016152842.tif 000007